【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
商用電源電圧駆動の冷凍庫装置であって、
冷凍庫ドア（２）であって、当該冷凍庫ドア（２）にヒンジ連結された施錠レバー（２２）を有し、当該施錠レバーは開扉位置と施錠位置の間で回動自在である、冷凍庫ドア（２）と、
前記施錠レバーに割り当てられたブロッキング手段（２４）であって、電動駆動且つ／又は電磁駆動のブロッキングエレメント（２６）を含み、当該ブロッキングエレメント（２６）は、オペレータによりコード入力部（２０）を介して入力されることが可能なコード操作に応じて前記施錠レバーの回動をブロックするか又は自由にする、ブロッキング手段（２４）と、
を備える、装置において、
電子制御部（１４）と商用電源電圧から独立したバッテリバッファ手段（１３）とが、
商用電源電圧の停止に応答して、商用電源電圧の供給がなくても所定の最低限期間中は前記コード操作及び前記自由にすることが可能となるように、前記ブロッキング手段及び前記コード入力部に割り当てられており、
前記制御部に割り当てられた表示手段（１８）が、商用電源電圧の停止の間における少なくとも前記所定の最低限期間中、当該冷凍庫装置の現在の内部温度が表示されることが可能となるように構成されていることを特徴とする、装置。
【請求項２】
請求項１に記載の装置において、前記所定の最低期間が５０時間であることを特徴とする、装置。
【請求項３】
請求項１または２に記載の装置において、前記ブロッキング手段が、電動で直線変位自在なブロッキングボルト（２６）をブロッキングエレメントとして含み、当該ブロッキングボルト（２６）は、ブロック時に前記施錠レバーの一部に係合することが可能であることを特徴とする、装置。
【請求項４】
請求項３に記載の装置において、前記ブロッキング手段は、ブロックを可能にするエンド位置又は停止位置において前記ブロッキングボルトが電流遮断状態で保持されるように構成されていることを特徴とする、装置。
【請求項５】
請求項３または４に記載の装置において、前記ブロッキング手段が検出器および／またはスイッチ手段（２４）を含み、当該検出器および／またはスイッチ手段（２４）は、前記制御部に接続されており、かつ、前記ブロッキングボルトの変位位置を検出するように機能することを特徴とする、装置。
【請求項６】
請求項１から５のいずれか一項に記載の装置において、回動位置検出手段（３０，３２）が、前記施錠レバーに割り当てられて前記制御部に接続されていることを特徴とする、装置。
【請求項７】
請求項６に記載の装置において、前記回動位置検出手段が、磁場検出手段（３２）および／もしくは磁気駆動式スイッチ手段であって、前記施錠レバーに設けられた永久磁石手段（３０）と磁気的に相互作用するように構成された磁場検出手段（３２）および／もしくは磁気駆動式スイッチ手段、または、位置センサ、または、接触もしくは非接触作動の
スイッチを含むことを特徴とする、装置。
【請求項８】
請求項１から７のいずれか一項に記載の装置において、前記制御部は、商用電源電圧の停止に応答したコード操作および／または前記自由にすることが所定の回数のみ可能であるように構成されていることを特徴とする、装置。
【請求項９】
請求項１から８のいずれか一項に記載の装置において、前記制御部および前記表示手段は、前記最低限期間中、動作不良情報および／または動作状態情報および／または動作指示情報を追加で表示するように構成されていることを特徴とする、装置。
【請求項１０】
請求項１から９のいずれか一項に記載の装置において、被冷凍物を貯蔵するように設計された内部空間が、−５０℃未満の定常冷却モード温度で運転されることを特徴とする、装置。
【手続補正２】
【補正対象書類名】明細書
【補正対象項目名】００３２
【補正方法】変更
【補正の内容】
【００３２】
本発明は、例示の実施形態に限定されない。本発明の実現には、特定の用途や環境パラメータが必ずしも必要でない。すなわち、本発明は、極低温冷凍庫装置の場合に極めて有効かつ有用となるが、他の用途も想定可能であり、かつ、施錠機能やブロック機能が必ずしも前述した特定の様式で行われなければならないわけでもない。この点についても、数多くの他の電気機械的な解決手段が考えられる。
なお、本発明は、態様として以下の内容を含む。
〔態様１〕
商用電源電圧駆動の冷凍庫装置、特には極低温冷凍庫装置であって、
冷凍庫ドア（２）であって、当該冷凍庫ドア（２）にヒンジ連結された施錠レバー（２２）を有し、当該施錠レバーは開扉位置と施錠位置の間で回動自在である、冷凍庫ドア（２）と、
前記施錠レバーに割り当てられたブロッキング手段（２４）であって、電動駆動且つ／又は電磁駆動のブロッキングエレメント（２６）を含み、当該ブロッキングエレメント（２６）は、オペレータによりコード入力部（２０）を介して入力されることが可能なコード操作に応じて前記施錠レバーの回動をブロックするか又は自由にする、ブロッキング手段（２４）と、
を備える、装置において、
電子制御部（１４）と商用電源電圧から独立したバッテリバッファ手段（１３）とが、
商用電源電圧の停止に応答して、商用電源電圧の供給がなくても所定の最低限期間中は前記コード操作及び前記自由にすることが可能となるように、前記ブロッキング手段及び前記コード入力部に割り当てられており、
前記制御部に割り当てられ、特には前記冷凍庫ドアに設けられた表示手段（１８）が、商用電源電圧の停止の間における少なくとも前記所定の最低限期間中、当該冷凍庫装置の現在の内部温度が表示されることが可能となるように構成されていることを特徴とする、装置。
〔態様２〕
態様１に記載の装置において、前記所定の最低期間が５０時間、好ましくは７０時間であることを特徴とする、装置。
〔態様３〕
態様１または２に記載の装置において、前記ブロッキング手段が、電動で直線変位自在なブロッキングボルト（２６）をブロッキングエレメントとして含み、当該ブロッキングボルト（２６）は、ブロック時に前記施錠レバーの一部に係合する、特には圧入することが可能であることを特徴とする、装置。
〔態様４〕
態様３に記載の装置において、前記ブロッキング手段は、ブロックを可能にするエンド位置又は停止位置において前記ブロッキングボルトが電流遮断状態で保持されるように構成されており、より好ましくは、前記ブロッキング手段は、前記ブロッキングボルトを２つの電流遮断状態でエンド位置に駆動するように構成されていることを特徴とする、装置。
〔態様５〕
態様３または４に記載の装置において、前記ブロッキング手段が検出器および／またはスイッチ手段（２４）を含み、当該検出器および／またはスイッチ手段（２４）は、前記制御部に接続されており、かつ、前記ブロッキングボルトの変位位置、特には前記自由にすることを引き起こす後退変位位置を検出するように機能し、好ましくは、当該検出器および／またはスイッチ手段は、前記ブロッキングボルトによって作動されることが可能な機械式スイッチ手段（２４）として実現されることを特徴とする、装置。
〔態様６〕
態様１から５のいずれか一態様に記載の装置において、回動位置検出手段（３０，３２）、好ましくは前記冷凍庫ドアに設けられた回動位置検出手段（３０，３２）が、前記施錠レバーに割り当てられて前記制御部に接続されていることを特徴とする、装置。
〔態様７〕
態様６に記載の装置において、前記回動位置検出手段が、磁場検出手段（３２）および／もしくは磁気駆動式スイッチ手段であって、前記施錠レバーに設けられた永久磁石手段（３０）と磁気的に相互作用するように構成された磁場検出手段（３２）および／もしくは磁気駆動式スイッチ手段、または、位置センサ、または、接触もしくは非接触作動の
スイッチを含むことを特徴とする、装置。
〔態様８〕
態様１から７のいずれか一態様に記載の装置において、前記制御部は、商用電源電圧の停止に応答したコード操作および／または前記自由にすることが所定の回数のみ、特には一回のみ可能で、好ましくは、ブロックおよび／または施錠動作が阻止されるように構成されていることを特徴とする、装置。
〔態様９〕
態様１から８のいずれか一態様に記載の装置において、前記制御部および前記表示手段は、前記最低限期間中、動作不良情報および／または動作状態情報および／または動作指示情報を追加で表示するように構成されていることを特徴とする、装置。
〔態様１０〕
態様１から９のいずれか一態様に記載の装置において、被冷凍物を貯蔵するように設計された内部空間が、−５０℃未満、好ましくは−８０℃未満の定常冷却モード温度で運転されることを特徴とする、装置。